(57)【要約】【課題】情報端末装置の所在地まで赴くことなく、しかも情報端末装置が停止中であっても設定データファイルの変更作業を行なうことができるようにした情報端末装置の管理システムを提供する。【解決手段】サーバ３内に管理端末装置１ａ〜１ｎから設定データを書き込み可能な設定データファイル９ａ〜９ｎを保持し、情報端末装置２ａ〜２ｎは起動時あるいは所定の時期に、この設定データファイル９ａ〜９ｎを読み出して情報端末装置２ａ〜２ｎの内部に保持する設定データファイル８ａ〜８ｎと比較して比較手段２８で書き込みを判定し、書き込みがあった場合、更新手段２９で設定データを上書きコピーして更新する。【選択図】        図１
2004164487.tif 000002
【特許請求の範囲】
【請求項１】
通信手段を介して接続した少なくとも一つの情報端末装置と少なくとも一つの管理端末装置とを備え、上記情報端末装置はその設定データを記憶した設定データファイルを有する情報端末装置の遠隔管理システムにおいて、上記通信手段に接続したサーバを設け、このサーバ内に、上記情報端末装置の変更後の上記設定データを書き替え可能に記憶した設定データファイルを設け、上記情報端末装置内に、所定の時期に変更後の上記設定データを上記情報端末装置内の上記設定データファイルに上書きする更新手段を設けたことを特徴とする情報端末装置の遠隔管理システム。
【請求項２】
請求項１記載のものにおいて、上記サーバ内に、上記管理端末装置と上記情報端末装置との間で排他的制御を行う排他的制御手段を設けたことを特徴とする情報端末装置の遠隔管理システム。
【請求項３】
請求項２記載のものにおいて、上記管理端末装置を複数台設け、上記サーバ内に、上記サーバ内の上記設定データファイルの書き替えが行われたことを検出する検出通知部を設け、この検出通知部による検出があったとき少なくとも他の管理端末装置に通知する通知手段を設けたことを特徴とする情報端末装置の遠隔管理システム。
【請求項４】
請求項２記載のものにおいて、上記情報端末装置は、その起動時に上記排他的制御手段の動作指示を与える排他的制御指示手段と、上記排他的制御手段の解除指示を与えるロック解除指示手段とを備えたことを特徴とする情報端末装置の遠隔管理システム。
【発明の詳細な説明】
【０００１】
【発明の属する技術分野】
本発明は、情報端末装置の起動停止時間などの動作を規定する設定データファイルを変更する情報端末装置の管理システムに関する。
【０００２】
【従来の技術】
一般に、情報端末装置の遠隔管理システムは、通信手段を介して接続した複数の情報端末装置と管理装置を有して構成しており、この情報端末装置を例えば官公庁等に配置した場合、起動停止を管理する設定データファイルによって午後５時以降の運転を停止することがある。この情報端末装置の設定データファイルには、起動停止時間や、その使用用途や表示情報などによってスケジュール管理される種々の情報が格納されており、季節や時間帯、休日や平日によって変更されることがある。一般には、情報端末装置の所在地まで出向いて設定データファイルの変更を行っているが、それを管理する管理部門の所在地とが離れており、情報端末装置の設定データファイルを変更するために作業者がその所在地まで出向くのは大変であり、管理部門から遠隔操作で情報端末装置の設定データファイルを変更する手段が望まれている。
【０００３】
従来のこの種の関連技術として、昇降機を管理する監視端末装置のプログラムを遠隔地から書き換える遠隔管理システムが知られており、プログラムに変更が生じた場合、センタから各監視端末装置にプログラムの全体あるいは変更部分のみを送信することにより作業者が監視端末装置の所在地まで出向くのを不要にしている（例えば、特許文献１参照）。また、電源装置の遠隔監視を目的としてインターネットを介して携帯電話等のインターネット端末装置へ通知し、電源装置の異常をいち早く知らせるようにした電源装置の保守サービスシステムが知られている（例えば、特許文献２参照）。さらに、マルチメディア情報端末装置における遠隔リモート保守への対応に関連して、管理端末装置から情報端末装置の管理を可能としたとの記載がある（非特許文献１参照）。
【０００４】
【特許文献１】
特開２００１−３３４６１号公報
【特許文献２】
特開２００１−２４２９７１号公報
【非特許文献１】
沖電気研究開発２０００年７月第１８３号Ｖｏｌ．６７Ｎｏ．２の７８ページ
【０００５】
【発明が解決しようとする課題】
しかしながら、特許文献１に記載された従来の遠隔管理システムは、監視端末装置が２４時間運転であることを前提とし、任意の時間に変更されたプログラムをセンタから各監視端末装置に送信するものであり、これを情報端末装置の遠隔管理システムに適用した場合、監視端末装置に相当する情報端末装置が例えば官公庁に配置されたものであれば午後５時以降停止することになるため、この停止時間帯にセンタに相当する管理端末装置から設定データファイルの変更を行うことはできない。また特許文献２は、メール手段による通知に関する記載はあるが、設定データファイルの変更についての記載は全くない。同様に、非特許文献１には、電源の入り切りに関する記載のみで、情報端末装置の設定データファイルの変更についての記載は全くない。
【０００６】
本発明の目的は、情報端末装置の所在地まで赴くことなく、しかも情報端末装置が停止中であっても設定データファイルの変更作業を行なうことができるようにした情報端末装置の管理システムを提供することにある。
【０００７】
【課題を解決するための手段】
本発明は上記目的を達成するために、通信手段を介して接続した少なくとも一つの情報端末装置と少なくとも一つの管理端末装置とを備え、上記情報端末装置はその設定データを記憶した設定データファイルを有する情報端末装置の遠隔管理システムにおいて、上記通信手段に接続したサーバを設け、このサーバ内に、上記情報端末装置の変更後の上記設定データを書き替え可能に記憶した設定データファイルを設け、上記情報端末装置内に、所定の時期に変更後の上記設定データを上記情報端末装置内の上記設定データファイルに上書きする更新手段を設けたことを特徴とする。
【０００８】
本発明による情報端末装置の管理システムは、サーバ内に情報端末装置の変更後の設定データを書き替え可能に記憶した設定データファイルを設け、また情報端末装置内に、所定の時期に変更後の設定データを情報端末装置内の設定データファイルに上書きする更新手段を設けたため、情報端末装置の管理業務を行う部門の所在地と情報端末装置の所在地とが遠く離れていても所在地まで赴くことなく、管理端末装置からサーバ内の設定データファイルを用いて情報端末装置の設定データの書き替え作業を行うことができ、情報端末装置の所在地へ出向く手間と時間を大幅に低減でき、また情報端末装置が夜間や休日に停止しているような運用であっても、その状態に拘わらず、例えば翌日の起動時に情報端末装置の設定データを更新することが可能となる。
【０００９】
また請求項２に記載の本発明は、請求項１記載のものにおいて、サーバ内に、管理端末装置と情報端末装置との間で排他的制御を行う排他制御手段を設けたことを特徴としているため、複数の管理端末装置を有していても設定データの書き替え中に設定データを変更したり、重複した処理をするなどの不要なやり取りを防止することができる。
【００１０】
また請求項３に記載の本発明は、請求項２記載のものにおいて、管理端末装置を複数台設け、サーバ内に、このサーバ内の設定データファイルの書き替えが行われたことを検出する検出通知部を設け、この検出通知部による検出があったとき少なくとも他の管理端末装置に通知する通知手段を設けたことを特徴としているため、任意の管理端末装置からサーバ内の設定データファイルを書き替えたとき、これを検出した検出通知部が通知手段に通知し、通知手段５が他の管理端末装置に通知することになり、複数の所在地に分かれた複数の部門が管理端末装置から設定データを変更することが可能となると共に、他の管理者が設定データの変更を把握することができる。
【００１１】
また請求項４に記載の発明は、請求項２記載のものにおいて、情報端末装置は、その起動時に排他的制御手段の動作指示を与える排他的制御指示手段と、排他的制御手段の解除指示を与えるロック解除指示手段とを備えたことを特徴とするため、情報端末装置の起動に関連して設定データの更新処理を行うことができるようになり、しかも、この更新処理中に排他的制御手段によって他の管理端末装置からの書き替えなどを防止することができる。
【００１２】
【発明の実施の形態】
以下、本発明の実施の形態を図面に基づいて説明する。
図１は、本発明の一実施の形態による情報端末装置の管理システムを示すブロック構成図である。
複数の管理端末装置１ａ〜１ｎはＬＡＮ（Ｌｏｃａｌ  Ａｒｅａ  Ｎｅｔｗｏｒｋ）などの通信手段４を介して通常２４時間稼動するサーバ３に接続されており、この通信手段４には複数の情報端末装置２ａ〜２ｎおよび通知手段５が接続されている。サーバ３は、主な構成要素として後述する情報端末装置２ａ〜２ｎの設定データファイル８ａ〜８ｎにそれぞれ対応する設定データを記憶した設定データファイル９ａ〜９ｎと、管理端末装置１ａ〜１ｎのＷｅｂブラウザ６ａ〜６ｎまたは情報端末装置２ａ〜２ｎのＷｅｂブラウザ７ａ〜７ｎを介して指示することで動作して設定データファイル９ａ〜９ｎを読み出す設定データファイル読み出し部１０と、設定データファイル書き込み部１１と、排他的制御手段を構成する設定データファイルロック部１２および設定データファイルロック解除部１３と、設定データファイル書き込み部１１の書き込み動作を検出して通知手段５へ通知する検出通知部１４とを備えている。各部はＣＧＩ（Ｃｏｍｍｏｎ  Ｇａｔｅｗａｙ  Ｉｎｔｅｒｆａｃｅ）を応用して作成したプログラムを実行することなどで実現することになる。
【００１３】
管理端末装置１ａ〜１ｎはそれぞれ同一構成であるから、ここでは管理端末装置１ａについて説明すると、図２に示すようにＷｅｂブラウザ６ａ内に、サーバ３内の設定データファイル読み出し部１０に読み出し指示を与える読み出し指示手段１７と、サーバ３からの情報をその表示部に表示する表示手段１８と、サーバ３内の排他的制御手段に実行指示を与える排他的制御指示手段１９と、サーバ３内の排他的制御手段が作動したか否かを判定するロック判定手段２０と、設定データファイル書き込み部１１への書き込み指示を与える書き込み実行指示手段２１と、サーバ３内の排他的制御手段に解除指示を与えるロック解除指示手段２２と、メールを受信するメール受信手段２３とを備えている。読み出し指示手段１７〜メール受信手段２３は、サーバ３に保持し必要に応じてサーバ３から読み出して使用してもよい。
【００１４】
また情報端末装置２ａ〜２ｎは、主な構成要素としてＷｅｂブラウザ７ａ〜７ｎと、それぞれの起動停止時間や、その使用用途や表示情報などによってスケジュール管理される種々の情報が格納された設定データファイル８ａ〜８ｎをそれぞれ備えている。各情報端末装置２ａ〜２ｎはそれぞれ同一構成であるから、ここでは情報端末装置２ａについて説明すると、図３に示すようにＷｅｂブラウザ７ａ内に、サーバ３内の排他的制御手段に作動指示を与える排他的制御指示手段２４と、その表示部に設定データなどを表示する表示手段２５と、サーバ３内の排他的制御手段が作動したか否かを判定するロック判定手段２６と、サーバ３内の設定データファイル９ａにおける設定データを読み出す指示を与える読み出し指示手段２７と、サーバ３内の設定データファイル９ａにおける設定データとそれ自身の設定データファイル８ａにおける設定データを比較して書き替えが行なわれたことを判定する比較手段２８と、この比較手段２８により書き替えがあったことを検出したときそれ自身の設定データファイル８ａにおける設定データを上書きして更新する更新手段２９と、この更新手段２９の動作を検出して所定の通知先、例えば管理端末装置１ａ〜１ｎに通知する検出通知手段３０と、サーバ３内の排他的制御手段に解除指示を与えるロック解除指示手段３１とを備えている。排他的制御指示手段２４〜ロック解除指示手段３１は、サーバ３に保持し必要に応じてサーバ３から読み出して使用してもよい。
【００１５】
さらに、通知手段５は、サーバ３の検出通知部１４あるいは情報端末装置２ａ〜２ｎの通知手段３０からの通知を受信する受信部１５と、この受信部１５による受信があったとき予め登録した通知先へ通知する通知部１６とを備えている。この予め設定した通知先とは、例えばサーバ３の検出通知部１４からの通知を受信部１５が受信した場合は、このときサーバ３に接続されて更新作業をしていた管理端末装置と、その他の管理端末装置であり、また情報端末装置２ａの通知手段３０からの通知を受信部１５が受信した場合は、管理端末装置１ａ〜１ｎなどである。
【００１６】
図４は、管理端末装置１ａから設定データ９ａの確認を行う場合の処理手順を示すフローチャートである。
管理端末装置１ａでステップＳ１としてＷｅｂブラウザ６を起動し、ステップＳ２で読み出し指示手段１７を指定すると、この読み出し指示手段１７は通信手段４を介してサーバ３の設定データファイル読み出し部１０に実行指示を与える。これを受信したサーバ３は、ステップＳ３で指示された設定データファイル読み出し部１０により設定データファイル９ａの設定データを読み出し、その結果を管理端末装置１ａへ返す。これを受信した管理端末装置１ａは、ステップＳ４でその結果を表示手段１８によって表示部に表示するので、設定データファイル９ａを操作者が確認できるようになる。
【００１７】
図５は、管理端末装置１ａから設定データファイル９ａの変更を行う場合の処理手順を示すフローチャートである。
管理端末装置１ａでステップＳ５としてＷｅｂブラウザ６ａを起動し設定データファイル９ａの変更を行う操作を選択すると、排他的制御指示手段１９はステップＳ６で排他的制御指示をサーバ３へ送信する。この排他的制御指示を受信したサーバ３は、他の管理端末装置１ｎから設定データファイル９ａの書き換え処理が行われるのを禁止するため、サーバ３内の排他制御手段を構成する設定データファイルロック部１２を作動させる。このサーバ３内の排他的制御手段は、管理端末装置１ａ〜１ｎと情報端末装置２ａ〜２ｎの間で排他的制御を行うため、先行した管理端末装置１ａによる設定データファイル９ａの書き替え処理が優先され、その後に他の管理端末装置１ｎで設定データファイル９ａの書き替え処理を行おうとしても、他の管理端末装置１ｎからの設定データファイル９ａの書き替えを禁止することになる。
【００１８】
この排他的制御指示を受信したサーバ３は、ステップＳ７で排他的制御手段である設定データファイルロック部１２を作動し、既に他の管理端末装置１ｎによる設定データファイル９ａの書き替え処理が行われていない場合、書き替え禁止状態にしてそのロック成功信号を返し、一方、他の管理端末装置１ｎで設定データファイル９ａの書き替え処理が既に行われている場合はロック失敗信号を返す。
【００１９】
管理端末装置１ａがロック失敗信号を受信して、ステップＳ７でロック判定手段２０によって他の管理端末装置１ｎで設定データファイル９ａの書き替え処理が既に行われていると判定した場合、以降の処理を行わずに終了する。一方、ロック判定手段２０がロック成功信号を受けて他の管理端末装置１ｎで設定データファイル９ａの書き替え処理が実行されていないと判定した場合、ステップＳ８で読み出し指示手段１７から設定データファイル読み出し部１０の実行を指示する読み出し指示をサーバ３へ送信する。
【００２０】
この読み出し指示を受信したサーバ３は、ステップＳ９で設定データファイル読み出し部１０を実行して設定データファイル９ａの設定データを読み出し、その結果を管理端末装置１ａへ返す。これを受けた管理端末装置１ａは、ステップＳ１０で表示手段１８によりサーバ３から返された設定データファイル９ａの設定データを表示部に表示する。従って、操作者は表示部を見てこれを確認できるようになる。その後、操作者はステップＳ１１で表示された設定データファイル９ａの設定データを元に変更を加えて編集を行う。
【００２１】
この編集後のステップＳ１２で、管理端末装置１ａの書き込み実行指示手段２１によって編集後の設定データを返信すると共に書き込み実行指示を送信し、設定データファイル書き込み部１１の実行をサーバ３へ指示する。この書き込み実行指示を受けたサーバ３は、設定データファイル書き込み部１１を実行し設定データの書き替えを行う。この書き替えが完了した時点のステップＳ１４でサーバ３の検出通知部１４は、設定データファイル書き込み部１１の書き込みを管理端末装置１ａと通知手段５に通知する。これを受信した通知手段５の受信部１５は、サーバ３内の設定データファイル９ａが書き換えられたことを他の管理者の管理端末装置１ｎに対してメールを送信して知らせる。
【００２２】
各管理端末装置１ａ〜１ｎ内にはそれぞれこのメールを受信するメール受信手段２２を備えており、このメール受信手段２２による受信があったときメール内容を表示部に表示するようにしている。これは、情報端末装置２ａ〜２ｎを管理する部門が必ずしも１つの部門とは限らず、情報端末装置２ａ〜２ｎの保守を担当する部門と、情報端末装置２ａ〜２ｎを利用する部門等の複数の所在地に分かれた複数の部門が設定を変更する場合があり、複数の部門の一つが情報端末装置２ａ〜２ｎの設定を変更した場合に、他の管理部門へ連絡する必要があるためである。通知手段５内には設定データファイル書き込み部１１による設定データファイル９ａ〜９ｎの書き込みに対応して、これら関係する管理端末装置１ａ〜１ｎのメール通知先が登録されており、これに基づいてメールが送信される。従って、上述した管理端末装置１ａへの設定データファイル９ａの書き込み完了信号を、この通知手段５を用いてメール受信手段２３に対して送信するようにメール通知先を登録しても良い。
【００２３】
いずれにしても、設定データファイル９ａの書き込み完了信号を受信した管理端末装置１ａは、これを確認した後、ステップＳ１５で排他的制御手段の設定データファイルロック解除部１３を実行させるためにロック解除手段２２からロック解除指示をサーバ３へ送信する。このロック解除指示を受信したサーバ３は、排他的制御手段を解除する設定データファイルロック解除部１３を実行して、元通りに他の管理端末装置からの設定データファイル９ａ〜９ｎの書き替え処理が行える状態にする。
【００２４】
図６は、サーバ３内で更新された設定データファイル９を情報端末装置２ａから読み出して自身が持つ設定データファイル８を書き替える手順を示すフローチャートである。
情報端末装置２ａは、ステップＳ１７の起動時または適当な時間間隔でＷｅｂブラウザ７ａを起動する。するとステップＳ１８で情報端末装置２ａの排他的制御指示手段２４が動作し、この排他的制御指示手段２４からサーバ３に排他的制御指示を送信する。この排他的制御指示を受信したサーバ３は、ステップＳ１９でその排他的制御指示手段である設定データファイルロック部１２の実行を指示し、この排他的制御手段によって管理端末装置１ａ〜１ｎから設定データファイル９ａへの書き込みや、他の情報端末装置からの設定データ更新処理を行えない状態にし、情報端末装置２ａへ設定データファイル９ａのロック成功信号を返す。ここで、排他的制御手段は管理端末装置１ａ〜１ｎのいずれかにより設定データファイル９ａ〜９ｎの書き込みを既に行っている場合、ロック失敗信号を送信する。
【００２５】
情報端末装置２ａのロック判定手段２６は、ステップＳ２０でサーバ３から受信した信号がロック成功信号あるいはロック失敗信号かを判定し、表示手段２５によってその表示部に判定結果を表示する。またロック判定手段２６はロック失敗信号と判定した場合、管理端末装置１ａ〜１ｎのいずれかで設定データファイル９ａを既に使用中であると見なして以降の処理を中止する。一方、ロック判定手段２６がロック成功信号と判定した場合は、管理端末装置１ａ〜１ｎで設定データファイル９ａが使用されていないと見なして、ステップＳ２１で読み出し指示手段２７により読み出し指示をサーバ３に対して送信する。この読み出し指示を受信したサーバ３は、ステップＳ２２で設定データファイル読み出し部１０の実行を指示し、設定データファイル９ａの設定データを読み出して情報端末装置２ａへ送信する。
【００２６】
情報端末装置２ａは、ステップＳ２３でサーバ３から返された設定データファイル９の設定データと、自身が現在保持している設定データファイル８の設定データとを比較手段２８により比較する。この比較はサーバ３の設定データファイル９ａへの設定データの書き込み日や時間、バージョンなどによって比較することができ、これらに相違がある場合、サーバ３の設定データファイル９ａが更新されたと判定する。この判定があった場合、更新手段２９は、ステップＳ２４でサーバ３からの設定データを情報端末装置２ａが保持している設定データファイル８へ上書きコピーして更新する。このとき、読み出し指示手段２７による読み出し指示に対してサーバ３は、設定データファイル９ａからその書き込み日や時間あるいはバージョンのみを情報端末装置２ａに送信し、これに基づいて比較手段２８が比較を行って更新されていると判定した場合、読み出し指示手段２７によりサーバ３内の設定データファイル９ａから設定データを受け取るようにしても良い。
【００２７】
続くステップＳ２５で、情報端末装置２ａの検出通知手段３０は、設定データファイル８ａの書き込みを検出して通知手段５へ検出信号を送信する。これを通知手段５の受信部１５が受信すると、通知部１６はこの情報端末装置２ａの検出通知手段３０からの通知信号に対応して予め登録した通知先、例えば管理端末装置１ａ〜１ｎへこの旨をメールにて通知する。その後、情報端末装置２ａは、ステップＳ２６でロック解除指示手段３１からサーバ３の排他的制御手段を解除するために設定データファイルロック解除部１３の実行を指示するロック解除指示を送信する。このロック解除指示を受信したサーバ３は、ステップＳ２７で設定データファイルロック解除部１３を実行して排他的制御手段を解除し、元通りに管理端末装置１ａ〜１ｎからの設定データファイル９ａの書き替え処理が行える状態にする。
【００２８】
このように情報端末装置２ａ〜２ｎの設定データファイル８ａ〜８ｎを更新する場合、一旦、サーバ３内の設定データファイル９ａ〜９ｎに書き込みするようにしたため、情報端末装置２ａ〜２ｎの起動時もしくは所定に時期にサーバ３内の設定データファイル９ａ〜９ｎと情報端末装置２ａ〜２ｎの設定データファイル８ａ〜８ｎを比較して更新されているか否かを判定し、更新されている場合に情報端末装置２ａ〜２ｎの設定データファイル８ａ〜８ｎに更新された設定データを上書きして更新することができる。従って、情報端末装置２ａ〜２ｎが、例えば官公庁に配置された場合のように午後５時以降停止することになっても、この停止時間帯に拘わらず、しかも、情報端末装置２ａ〜２ｎの所在地まで赴くことなく、管理端末装置１ａ〜１ｎからサーバ３内の設定データファイル９ａ〜９ｎの書き替え作業を行うことができる。
【００２９】
特に、情報端末装置２ａ〜２ｎが月毎や季節毎に表示情報を更新したり、平日と休日に異なる情報を表示したり、特定の時期だけに特定の情報を表示したりする場合のように、比較的高い頻度で設定データを更新する場合、その更新を容易に行うことができる。また設定データとしては、起動停止時間や、表示画面に形成する操作ボタンの変更、音量の変更などの少なくとも一部を包含していればよい。
【００３０】
また、上述したようにサーバ３内に、管理端末装置１ａ〜１ｎおよび情報端末装置２ａ〜２ｎから設定データ書き替え処理および設定データの更新処理を行うとき、他の管理端末装置および情報端末装置からの処理を拒否する排他的制御手段を設けたため、複数の管理端末装置を有していても設定データの書き替え中に設定データを変更したり、重複した処理をするなどの不要なやり取りを防止することができる。
【００３１】
また、上述したように複数の管理端末装置１ａ〜１ｎを有し、任意の管理端末装置からサーバ３内の設定データファイル９ａ〜９ｎを書き替えたとき、これを検出して通知手段５に通知する検出通知部１４と、この検出通知部１４からの通知を通知手段５の受信部１５が受けたとき所定の通知先、例えば他の管理端末装置に通知する通知部１６を設けたため、複数の所在地に分かれた複数の部門が管理端末装置から設定データを変更することが可能となると共に、他の管理者が設定データの変更したことを把握することができる。
【００３２】
さらに情報端末装置２ａ〜２ｎは、その起動時に排他的制御手段の動作指示を与える排他的制御指示手段１９と、排他的制御手段の解除指示を与えるロック解除指示手段２３とを備えたため、情報端末装置２ａ〜２ｎの起動に関連して設定データの更新処理を行うことができるようになり、しかも、この更新処理中に排他的制御手段によって管理端末装置１ａ〜１ｎからの書き替えなどを防止することができる。
【００３３】
尚、上述した実施の形態では、図５におけるステップＳ７の判定でロック失敗信号を受信したことを判定した場合、書き替え処理を終了することにしたが、タイマ手段などによる所定時間後に再びステップＳ６を実行するようにしても良い。同様に、図６に示したステップＳ２０の判定でロック失敗信号を受信したことを判定した場合、更新処理を終了することにしたが、タイマ手段などによる所定時間後に再びステップＳ１８を実行するようにしても良い。
【００３４】
【発明の効果】
以上説明したように本発明による情報端末装置の遠隔管理システムによれば、情報端末装置の管理業務を行う部門の所在地と情報端末装置の所在地とが遠く離れていても所在地まで赴くことなく、管理端末装置からサーバ内の設定データファイルを用いて情報端末装置の設定データの書き替え作業を行うことができ、情報端末装置の所在地へ出向く手間と時間を大幅に低減でき、また情報端末装置が夜間や休日に停止しているような運用であっても、その状態に拘わらず、例えば翌日の起動時に情報端末装置の設定データを更新することが可能となる。
【図面の簡単な説明】
【図１】本発明の一実施の形態による情報端末装置の遠隔管理システムを示すブロック構成図である。
【図２】図１に示した情報端末装置の遠隔管理システムにおける管理端末装置の要部を示すブロック構成図である。
【図３】図１に示した情報端末装置の遠隔管理システムにおける情報端末装置の要部を示すブロック構成図である。
【図４】図１に示した情報端末装置の遠隔管理システムにおける管理端末装置からの設定データの確認処理動作を示すフローチャートである。
【図５】図１に示した情報端末装置の遠隔管理システムにおける管理端末装置からの設定データの書き替え処理動作を示すフローチャートである。
【図６】図１に示した情報端末装置の遠隔管理システムにおける情報端末装置からの設定データの更新処理動作を示すフローチャートである。
【符号の説明】
１ａ〜１ｎ  管理端末装置
２ａ〜２ｎ  情報端末装置
３  サーバ
４  通信手段
５  通知手段
６ａ〜６ｎ  Ｗｅｂブラウザ
７ａ〜７ｎ  Ｗｅｂブラウザ
８ａ〜８ｎ  設定データファイル
９ａ〜９ｎ  設定データファイル
１０  設定データファイル読み出し部
１１  設定データファイル書き込み部
１２  設定データファイルロック部
１３  設定データファイルロック解除部
１４  検出通知部
１５  受信部
１６  通知部
【図１】
2004164487.tif 000003
【図２】
2004164487.tif 000004
【図３】
2004164487.tif 000005
【図４】
2004164487.tif 000006
【図５】
2004164487.tif 000007
【図６】
2004164487.tif 000008